(57)【要約】【課題】顔面の凹凸面に密着して空気漏れを少なく出来ると共に、眼部を圧迫することなく保護した状態で装着することが出来、更に気道確保を容易にすることが出来る人工呼吸用マスクを提供する。【解決手段】マスク本体１は、傷病人Ｘの鼻先Ｎａ近傍及び鼻骨部Ｎｂ近傍と、両頬部Ｆ及び口Ｍとの周囲を気密的に覆うように断面略ドーム状に形成され、マスク本体１は、顔面の凹凸面に対して追従した状態で当接する伸縮可撓性材料から成るベース部材２と、鼻先Ｎａ近傍を外部から透視出来る材料で構成された膨出した中央部材３とで構成され、中央部材３の一側面には、給排気用ホース接続口４が設けられている。ベース部材２は、ベース部材２の開口周面部Ｚを、鼻骨部Ｎｂ及びその周囲に当接する略三角形状に形成された凹凸状の上部当接領域Ｚ１と、左右頬部Ｆの凹凸形状に追従して当接する側部当接領域Ｚ２と、口Ｍの下部近傍の形状に追従して当接する下部当接領域Ｚ３とを連続的に形成してある。【選択図】  図１
2005021448.tif 000002
【特許請求の範囲】
【請求項１】
鼻先近傍及び鼻骨部近傍と、両頬部及び口との周囲を気密的に覆うように断面略ドーム状に形成された給排気用ホース接続口を備えた人工呼吸用マスクであって、
マスク本体を、顔面の凹凸面に対して追従した状態で当接する伸縮可撓性材料から成るベース部材と、このベース部材に接合した中央部材とで構成し、前記ベース部材の開口周面部を、鼻骨部及びその周囲に当接する略三角形状に形成された凹凸状の上部当接領域と、左右頬部の凹凸形状に追従して当接する側部当接領域と、口の下部近傍の形状に追従して当接する下部当接領域とを連続的に形成し、前記上部当接領域の眼近傍における部材の肉厚と高さとの比率を、一定の比率で形成したことを特徴とする人工呼吸用マスク。
【請求項２】
前記上部当接領域の眼近傍における部材の肉厚と高さとの比率を、１．５倍以上、３．０倍以下に設定した請求項１に記載の人工呼吸用マスク。
【請求項３】
鼻先近傍及び鼻骨部近傍と、両頬部及び口との周囲を気密的に覆うように断面略ドーム状に形成された給排気用ホース接続口を備えた人工呼吸用マスクであって、
マスク本体を、顔面の凹凸面に対して追従した状態で当接する伸縮可撓性材料から成るベース部材と、このベース部材に接合した中央部材とで構成し、前記ベース部材の開口周面部を、鼻骨部及びその周囲に当接する略三角形状に形成された凹凸状の上部当接領域と、左右頬部の凹凸形状に追従して当接する側部当接領域と、口の下部近傍の形状に追従して当接する下部当接領域とを連続的に形成し、前記下部当接領域を、顎及び下顎の凹凸形状に追従して当接する凹部状に形成したことを特徴とする人工呼吸用マスク。
【請求項４】
前記下部当接領域に形成する凹部状の形状は、顎及び下顎頭部側の窪んだ歯根部の凹凸形状に対応し、かつ中央部材側に向かって凹状に形成した請求項３に記載の人工呼吸用マスク。
【請求項５】
鼻先近傍及び鼻骨部近傍と、両頬部及び口との周囲を気密的に覆うように断面略ドーム状に形成された給排気用ホース接続口を備えた人工呼吸用マスクであって、
マスク本体を、顔面の凹凸面に対して追従した状態で当接する伸縮可撓性材料から成るベース部材と、このベース部材に接合した中央部材とで構成し、前記ベース部材の開口周面部を、鼻骨部及びその周囲に当接する略三角形状に形成された凹凸状の上部当接領域と、左右頬部の凹凸形状に追従して当接する側部当接領域と、口の下部近傍の形状に追従して当接する下部当接領域とを連続的に形成し、前記上部当接領域の眼近傍における部材の肉厚と高さとの比率を一定の比率で形成すると共に、前記下部当接領域を、顎及び下顎の凹凸形状に追従して当接する凹部状に形成したことを特徴とする人工呼吸用マスク。
【請求項６】
前記下部当接領域に形成する凹部状の形状は、顎及び下顎頭部側の窪んだ歯根部の凹凸形状に対応し、かつ中央部材側に向かって凹状に形成した請求項５に記載の人工呼吸用マスク。
【発明の詳細な説明】
【０００１】
【発明の属する技術分野】
この発明は、特に医療用として使用される人工呼吸用マスクに係わり、更に詳しくは顔面の凹凸面に密着して空気漏れが少なく、しかも眼部を保護することが出来る人工呼吸用マスクに関するものである。
【０００２】
【従来の技術】
従来、病気や事故等により呼吸が停止した傷病人に対して、呼吸の補助を行うための人工呼吸用マスクが数多く提案されている。一般の人工呼吸用マスクは、傷病人の鼻先近傍及び鼻骨近傍と、両頬部及び口との周囲を気密的に覆うように断面略ドーム状（または断面略楕円状）に形成されており、顔面の凹凸面に対して追従した状態で当接する部材は、ポンプからの送気漏れを少なくするようにゴム材料等の伸縮可撓性材料で構成されている（特許文献１参照）。
【０００３】
【特許文献１】
特開平８−５７０５４号公報（第２〜第４頁、図１）
【０００４】
【発明が解決しようとする課題】
然しながら、上記のような従来の人工呼吸用マスクにおける部材は、顔面の凹凸面との圧着が難しく、特に部材の鼻骨部及びその近傍から送気漏れが生ずることが多かった。この原因としては、例えば、
（ａ）．傷病人の鼻先近傍及び鼻骨部の形状は複雑な上に、凹凸形状に個人差がある。
（ｂ）．鼻根部（鼻骨部）の骨部以外は、軟骨が鼻の形状を保持しているため、マスクの頭側端部を鼻根部の骨部に当接させないと強い圧力をかけて密着させることが難しい。
（ｃ）．マスクの頭側端部を鼻根部の骨部に当接させると、傷病人の両側の眼部にマスクがかかってしまう、
等が考えられる。
【０００５】
そこで、空気漏れを防止させるためは、顔面に対するある程度の接触面積が必要となるが、特に鼻先及び鼻骨部の周囲については眼部が邪魔となり、無理に当接部分の接触面積を大きくした場合には、傷病人の眼部を圧迫してしまうと言う問題があった。また、顎部においても空気洩れ防止のため、マスクを圧着しながら気道確保することは非常に難しく、場合によっては二人掛かりで対処しなければならないこともあり問題となっていた。
【０００６】
この発明はかかる従来の問題点に着目し、顔面の凹凸面に密着して空気漏れを少なく出来ると共に、眼部を圧迫することなく保護した状態で装着することが出来、更に気道確保を容易にすることが出来る人工呼吸用マスクを提供することを目的とするものである。
【０００７】
【課題を解決するための手段】
この発明は上記目的を達成するため、この発明の第１の人工呼吸用マスクは、鼻先近傍及び鼻骨部近傍と、両頬部及び口との周囲を気密的に覆うように断面略ドーム状に形成された給排気用ホース接続口を備えた人工呼吸用マスクであって、マスク本体を、顔面の凹凸面に対して追従した状態で当接する伸縮可撓性材料から成るベース部材と、このベース部材に接合した中央部材とで構成し、前記ベース部材の開口周面部を、鼻骨部及びその周囲に当接する略三角形状に形成された凹凸状の上部当接領域と、左右頬部の凹凸形状に追従して当接する側部当接領域と、口の下部近傍の形状に追従して当接する下部当接領域とを連続的に形成し、前記上部当接領域の眼近傍における部材の肉厚と高さとの比率を一定の比率で形成したことを要旨とするものである。
【０００８】
ここで、前記上部当接領域の眼近傍における部材の肉厚と高さとの比率は、１．５倍以上、３．０倍以下に設定するものである。
【０００９】
また、この発明の第２の人工呼吸用マスクは、鼻先近傍及び鼻骨部近傍と、両頬部及び口との周囲を気密的に覆うように断面略ドーム状に形成された給排気用ホース接続口を備えた人工呼吸用マスクであって、マスク本体を、顔面の凹凸面に対して追従した状態で当接する伸縮可撓性材料から成るベース部材と、このベース部材に接合した中央部材とで構成し、前記ベース部材の開口周面部を、鼻骨部及びその周囲に当接する略三角形状に形成された凹凸状の上部当接領域と、左右頬部の凹凸形状に追従して当接する側部当接領域と、口の下部近傍の形状に追従して当接する下部当接領域とを連続的に形成し、前記下部当接領域を、顎及び下顎の凹凸形状に追従して当接する凹部状に形成したことを要旨とするものである。
【００１０】
ここで、前記下部当接領域に形成する凹部状の形状は、顎及び下顎頭部側の窪んだ歯根部の凹凸形状に対応し、かつ中央部材側に向かって凹状に形成するものである。
【００１１】
また、この発明の第３の人工呼吸用マスクは、鼻先近傍及び鼻骨部近傍と、両頬部及び口との周囲を気密的に覆うように断面略ドーム状に形成された給排気用ホース接続口を備えた人工呼吸用マスクであって、マスク本体を、顔面の凹凸面に対して追従した状態で当接する伸縮可撓性材料から成るベース部材と、このベース部材に接合した中央部材とで構成し、前記ベース部材の開口周面部を、鼻骨部及びその周囲に当接する略三角形状に形成された凹凸状の上部当接領域と、左右頬部の凹凸形状に追従して当接する側部当接領域と、口の下部近傍の形状に追従して当接する下部当接領域とを連続的に形成し、前記上部当接領域の眼近傍における部材の肉厚と高さとの比率を一定の比率に形成し、前記下部当接領域を、顎及び下顎の凹凸形状に追従して当接する凹部状に形成したことを要旨とするものである。
【００１２】
ここで、前記下部当接領域に形成する凹部状の形状は、顎及び下顎頭部側の窪んだ歯根部の凹凸形状に対応し、かつ中央部材側に向かって凹状に形成するものである。
【００１３】
このように、この発明の人工呼吸用マスクは、顔面の凹凸面に密着して空気漏れを少なく出来、また眼部を圧迫することなく保護した状態で装着することが出来、更に気道確保を容易にすることが出来るものである。
【００１４】
【発明の実施の形態】
以下、添付図面に基づき、この発明の実施形態を説明する。
図１は、この発明を実施した人工呼吸用マスクを傷病人Ｘに対して装着した状態の側面図、図２はマスク本体の上面側から見た斜視図、図３はマスク本体の底面側から見た斜視図を示し、前記マスク本体１は、傷病人Ｘの鼻先Ｎａ近傍及び鼻骨部Ｎｂ近傍と、両頬部Ｆ及び口Ｍとの周囲を気密的に覆うように断面略ドーム状に形成されている。
【００１５】
前記マスク本体１は、顔面の凹凸面に対して追従した状態で当接する伸縮可撓性材料（例えば、シリコン系材料，熱可塑性エラストマー等）から成るベース部材２と、鼻先Ｎａ近傍を外部から透視出来る材料（樹脂系の材料）で構成された膨出した中央部材３とで構成され、この膨出した中央部材３の一側面には、給排気用ホース接続口４が設けられている。なお、ベース部材２は、必ずしも透視出来る材料には限定されるものではない。
【００１６】
前記ベース部材２は、図４及び図５に示すように、ベース部材２の開口周面部Ｚを、鼻骨部Ｎｂ及びその周囲に当接する略三角形状に形成された凹凸状の上部当接領域Ｚ１と、左右頬部Ｆの凹凸形状に追従して当接する側部当接領域Ｚ２と、口Ｍの下部近傍の形状に追従して当接する下部当接領域Ｚ３とを連続的に形成してある。
【００１７】
この発明の実施形態では、図４〜図８に示すように、前記上部当接領域Ｚ１の眼近傍におけるベース部材２ａの肉厚ｔと高さｈとの比率を１．５倍以上、３．０倍以下に設定してある。
【００１８】
即ち、一般の成人の場合、眼近傍におけるベース部材２ａの肉厚ｔは、約１３ｍｍ以下で、高さは２０ｍｍ以上、好ましくは３０ｍｍ〜４０ｍｍであり、また一般の幼児の場合、肉厚ｔは、約８ｍｍ以下で、高さは１２ｍｍ以上である。
【００１９】
上記、上部当接領域Ｚ１の眼近傍におけるベース部材２ａの肉厚ｔと高さｈとの比率を１．５倍以上、３．０倍以下に設定することで、傷病人Ｘに対するマスク本体１の鉛直方向の圧着だけではなく、ベース部材２ａの曲げ方向の弾性反発力を利用した空気漏れの低減が可能となる。
【００２０】
なお、ベース部材２ａの肉厚ｔと高さｈとの比率が１．５倍未満であるマスクでは、空気洩れを無くそうとすると肉厚を厚くせざるを得ず、眼部を圧迫することになる。また、３．０倍を超えると、眼部圧迫を考慮した場合、曲げ方向の剛性が不足し、空気洩れを充分に防ぐことが出来なくなる。
【００２１】
また、上記のベース部材２ａの肉厚ｔの寸法は、極力小さくし、また高さｈをベース部材２ａの剛性に従って反力を調整するように設計するのが望ましい。一般の成人の場合、眼近傍におけるベース部材２ａの肉厚ｔは、約１３ｍｍ以下で、高さは２０ｍｍ以上、好ましくは３０ｍｍ〜４０ｍｍであれば、空気洩れの低減を期待することが出来る。
【００２２】
なお、マスク本体１のベース部材２は、この実施形態では、上述したようにＪＩＳＡ硬度５以下の伸縮可撓性材料で中実に形成してあるが、これに限定されず、ＪＩＳＡ硬度５〜７０のゴム材料により袋状に形成することも可能である。
【００２３】
このように構成することで、顔面の凹凸面に密着して空気漏れを少なく出来、また眼部を圧迫することなく保護した状態で装着することが出来る。
【００２４】
また、この発明の他の実施形態では、前記下部当接領域Ｚ３を、顎Ｃ（オトガイ）及び下顎Ｃ１（オトガイ頭側）の凹凸形状に追従して当接するする凹部状５に形成してある。即ち、下部当接領域Ｚ３に形成する凹部状５の形状は、顎Ｃ及び下顎Ｃ１頭部側の窪んだ歯根部Ｃ２の凹凸形状に対応し、かつ中央部材側に向かって凹状に形成してある。
【００２５】
更に、ベース部材２の下部当接領域Ｚ３の両側部２ｂは、顎Ｃ（オトガイ）及び下顎Ｃ１（オトガイ頭側）の起伏形状を反転させた形状となっており、一般の成人男性の平均では、半径７５ｍｍ〜９０ｍｍ前後、乳幼児の場合の平均は、半径２０ｍｍ〜４０ｍｍ前後であることから、略半径を１５ｍｍ〜１００ｍｍの範囲でベース部材２を構成することが好ましい。
【００２６】
更に、図９及び図１０に示すように、顎Ｃ（オトガイ）及び下顎Ｃ１（オトガイ頭側）の窪んだ歯根部Ｃ２の並びは、腹側に半円弧状に凸の形状をしているため、この半円弧状の凸部分に当接する部分も、これに対応した形状になっており、一般の成人男性の平均では、半径３０ｍｍ〜６０ｍｍ前後、乳幼児の場合の平均は、半径１０ｍｍ〜３５ｍｍ前後であることから、略半径を５ｍｍ〜８０ｍｍの範囲でベース部材２を構成することが好ましい。
【００２７】
このように構成することで、顔面の凹凸面に密着して空気漏れを少なく出来、また傷病人の気道確保を容易にすることが出来る。
【００２８】
更に、この発明では、第１実施形態と第２実施形態とを組合せたマスク本体１の構成とすることで、顔面の凹凸面に密着して空気漏れを少なく出来、また眼部を圧迫することなく保護した状態で装着することが出来、更に気道確保を容易にすることが出来るものである。
【００２９】
また、この発明の実施形態では、図５に示すように、前記膨出した中央部材３を、鼻骨部分Ｎｂを覆う部位３ｘを頂点として略三角形状に形成すると共に、中央部材３の少なくとも一側面側（両側面でも可能）に、前記給排気用ホース接続口４を横向きとなるように形成してある。
【００３０】
また、前記膨出した中央部材３は、透明な樹脂材料で構成すると共に、特に中央部材３の中央部分は、外部から傷病人Ｘの鼻先Ｎａ近傍及び鼻骨部Ｎｂ近傍を容易に観察出来るように拡大レンズ構造に構成してある。
【００３１】
即ち、この実施形態のように、鼻骨部分Ｎｂを覆う部位３ｘを頂点として略三角形状に形成することで、透視部分が狭い形状であっても、拡大レンズ構造にすることで、マスク本体１の装着時における傷病人Ｘの状況を十分に観察し、かつ確認することが出来る。
【００３２】
このように、この実施形態では、膨出した中央部材３を、鼻骨部分Ｎｂを覆う部位３ｘを頂点として略三角形状に形成することで眼部を圧迫することなく保護することが出来、またマスク本体１が握り易くなり、マスク本体１を装着する際、傷病人Ｘの気道確保を容易に行うことが出来る。
【００３３】
更に、上述したように中央部材３の中央部分を拡大レンズ構造にすることで、外部から傷病人Ｘの鼻先Ｎａ近傍及び鼻骨部Ｎｂ近傍を容易に観察出来、傷病人Ｘの酸素供給状態を十分に観察し、かつ確認することが出来る。
【００３４】
【発明の効果】
この発明は、上記のようにマスク本体のベース部材を所定の形状及び寸法にすることで、顔面の凹凸面に密着して空気漏れを少なく出来ると共に、眼部を圧迫することなく保護した状態で装着することが出来、更に傷病人の気道確保を容易にすることが出来る効果がある。
【図面の簡単な説明】
【図１】この発明を実施した人工呼吸用マスクを傷病人に対して装着した状態の側面図である。
【図２】マスク本体の上面側から見た斜視図である。
【図３】マスク本体の底面側から見た斜視図である。
【図４】マスク本体の底面図である。
【図５】マスク本体の平面図である。
【図６】マスク本体のベース部材の上部当接領域Ｚ１から見た側面図である。
【図７】マスク本体のベース部材の下部当接領域Ｚ３から見た側面図である。
【図８】マスク本体のベース部材の側部当接領域Ｚ２から見た側面図である。
【図９】図５のＡ−Ａ矢視断面図である。
【図１０】図５のＢ−Ｂ矢視断面図である。
【符号の説明】
１  マスク本体                ２  ベース部材
２ａ〜２ｃ  ベース部材
３  中央部材                  ４  給排気用ホース接続口
５  凹部状                    Ｘ  傷病人
Ｎａ  鼻先                    Ｎｂ  鼻骨部
Ｆ  両頬部                    Ｍ  口
Ｚ１  上部当接領域            Ｚ２  側部当接領域
Ｚ３  下部当接領域              Ｃ  顎
Ｃ１  下顎                    Ｃ２  歯根部
【図１】
2005021448.tif 000003
【図２】
2005021448.tif 000004
【図３】
2005021448.tif 000005
【図４】
2005021448.tif 000006
【図５】
2005021448.tif 000007
【図６】
2005021448.tif 000008
【図７】
2005021448.tif 000009
【図８】
2005021448.tif 000010
【図９】
2005021448.tif 000011
【図１０】
2005021448.tif 000012